(57)【要約】      （修正有）【課題】加工が簡単で、重複使用時に、掛合端と掛合部が外力によって変形しない放熱フィンを提供する。【解決手段】放熱フィンＡは、その片体正面に外向きに突出した少なくとも一つの凸部３１１を設置し、その背面の凸部に相対する位置には内向きに陥没した一つの凹部を形成する。凸部及び凹部により、フィンを互いに重畳組立した時、フィンの凸部が別のフィンの凹部位置に嵌入し、重畳組立する。【選択図】図５
0003139952.tif 000002
【実用新案登録請求の範囲】
【請求項１】
放熱フィンにおいて、
フィンの正面に少なくとも一つの凸部を設置し、その背面の凸部に相対する位置には内向きに一つの凹部を形成し、フィンが互いに重畳組立した時、フィンの凸部を対応する別のフィンの凹部位置に嵌入し、重畳の効果を具えることを特徴とする放熱フィン。
【請求項２】
前記凸部は、少なくとも一つの凸点を設置して、そこにフィンを重畳した時、位置を限定する機能を具えることを特徴とする請求項１記載の放熱フィン。
【請求項３】
前記凸部は、少なくとも一つの凸環を設置して、そこにフィン重畳した時、位置を限定する機能を具えることを特徴とする請求項１記載の放熱フィン。
【請求項４】
片体は、少なくとも一つの位置限定部を設置してそこにフィンを重複使用した時に位置を限定する機能を具えることを特徴とする請求項１記載の放熱フィン。
【考案の詳細な説明】
【技術分野】
【０００１】
本考案は、放熱フィンに関するもので、主に放熱効果を具えた放熱フィンを提供し、特に放熱フィンの正面に一つの凸部を設置し、且つその背面の凸部に相対する位置には一つの凹部を形成することによって、この凸部が別のフィンの凹部に互いに重なり合って結合するものである。
【背景技術】
【０００２】
科学技術の進歩によって、電子部品運用の効率は益々高まり、放熱器の機能に対する要求はそれに伴って高くなる。公知の放熱器は放熱効果を高めるため、現在は重畳式の放熱フィンセットが大幅に採用され、続けて放熱フィンの研究開発が進められている。中でも高効率の放熱器は、今日産業界が最も研究している重要ポイントのひとつである。
【０００３】
第１、２図に示すのは、公知の放熱フィンの立体分解と組合体図である。図中に示すとおり、放熱フィン１側辺両端上には一つの折辺１１が対応して設置され、その折辺１１上には掛合端１１１と掛合部１１２が設置される。放熱フィン１上には少なくとも一つの孔１０が設置されて、そこに導熱管２を差し込み、放熱フィン１と結合する。放熱フィン１を重畳すると、放熱フィン１に設置された折辺１１の掛合端１１１が前方の放熱フィン１の掛合部１１２を掛合し、両放熱フィン１を結合固定する。前述の導熱管２は、放熱フィン１の平面１２に貫設した孔１０に差し込んだ後、放熱フィン１と結合する。放熱フィン１は生産時、先ずフィン側辺の両端を折曲して折辺１１を成形した後、折辺１１上に改めて掛合端１１１と掛合部１１２を成形しなければならない。故に加工過程が複雑で、セット装着に時間がかかる。他にプレスもしくはその他方式で成形された掛合端１１１と掛合部１１２は、生産時に廃品もしくは不良品を大量に出してしまうため、全体の加工ステップが複雑及びコストの増加となる。この他、放熱フィン１を初めに組み立てた後、分解後再び結合する場合、この折辺１１の掛合端１１１及掛合部１１２は分解の多少によって変形を発生し、再度組み立てた放熱フィン１は初期に組み立てた時のように完全に密接して合わさることができず、脱落現象を起こしやすい。
【特許文献１】登録実用新案第３０７０９６８号
【考案の開示】
【考案が解決しようとする課題】
【０００４】
解決しようとする問題点は、加工に時間がかかる。加工順序が複雑でコストが上がる。大量の廃品を発生しやすい。掛合端と掛合部が外力作用によって変形しやすく、そのため変形してしまうと、完全に組み立てることができないという点である。依って、上述公知の欠点を改善するため、本考案では効果を具えた放熱フィンを提供することを課題とする。
【課題を解決するための手段】
【０００５】
本考案は、その片体正面に外向きに突出した少なくとも一つの凸部を設置し、その背面の凸部に相対する位置には内向きに陥没した一つの凹部を形成する。凸部及び凹部により、フィンを互いに重畳組立した時、フィンの凸部が別のフィンの凹部位置に嵌入し、重畳組立することを最も主要な特徴とする。
【考案の効果】
【０００６】
本考案の放熱フィンは、加工が簡単で、重複使用時に掛合端と掛合部が外力によって変形しないという利点がある。
【考案を実施するための最良の形態】
【０００７】
セット装着が便利で、且つコストを下げ、分解後の重複組立でも変形しない放熱フィンを提供することを本考案の主な目的とする。
【０００８】
公知放熱フィンと比較して材料を大幅に節約し、多量の廃品を発生せず、コストを無駄にしない放熱フィンを提供することを次の目的とする。
【０００９】
加工がスピーディで組立時間を短縮し、コストを下げる放熱フィンを提供することを更に別の目的とする。
【００１０】
上述の目的のため、本考案は一種の放熱フィンを提供し、そのフィンの正面には少なくとも一つの凸部を設置し、その凸部はフィン正面で上向きに一高度伸び、つまりその背面の凸部に相対する位置には内向きに陥没した一つの凹部を形成し、そのフィン上の凸部と別のフィン上の凹部が組み合わさって一つの掛合部を形成し、掛合部の凸部を別のフィンの掛合部に対応する凹部位置に掛合する効果を具える。
【００１１】
本考案の上述目的及びその構造と効果の特性を図示した実施例で説明する。
【実施例１】
【００１２】
本考案では、一種の「放熱フィン」を提供し、図は本考案の良好な実施例とする。
【００１３】
第３、４、５、６図に示すとおり、放熱フィンＡは一つの片体３とする。この片体３の正面３１には一以上の凸部３１１を設置し、片体３上で上向きに伸びるか、もしくは下向きに伸びる方式の凸部３１１で、この凸部３１１は幾何図形（例として円形、方形、多角形もしくは任意の形状等）とする。この凸部３１１が片体３正面３１から上向きに一高度伸びるため、片体３の背面３２はその凸部３１１に相対する位置が内側に陥没して一つの凹部３２１を形成し、且つ凸部３１１は延長もしくは引き伸ばし方式で一体成型無接合であるため、強度が比較的高い。そのため片体３が圧迫作用を受けるか、もしくは重複して分解そして再組立した場合、凸部３１１は変形することがなく、再び組み立てた後のフィンは始めて組み立てた時と同じく強固である。
【００１４】
放熱フィンＡを互いにセットして重畳する時、片体３の凸部３１１上の凸端３１１１を別の片体３の相対する位置の凹部３２１内の接触端３２１１に嵌入し、両者を掛合状態にして相互に掛合する効果を具える。本考案では凸部３１１と凹部３２１が結合する設計によるため、フィンが高い辞に重畳組立するのが簡単で且つ強固である。更に公知の放熱フィンを生産する時に複雜だった加工方式、他に掛合端と掛合部が外力によって変形し、組み合わさらない問題を改善する。
【００１５】
別に本考案は、片体３上に更に設置した少なくとも一つの位置限定部３１２は、片体３正面３１上向きに一高度伸びるか、もしくは下向きに一深度伸びた位置限定部３１２を形成する。片体３が互いに重畳した時、位置限定部３１２が別の片体３の側面３２を押さえて片体３と別の片体３の間に固定隙間Ｂを保ち、凸部３１１が別の片体３の凹部３２１に嵌入した時、深く嵌入しすぎるのを防止する。
【００１６】
片体３上には別に少なくとも一つの孔３１３を貫設し、そこに導熱管４を差し込み、片体３と結合する。
【実施例２】
【００１７】
第７、８、９図は、本考案の別の立体と組立局部の断面指示図であり、片体３に設置した凸部３１１には少なくとも一つの凸点３１１２を設置する。片体３が互いに重畳した時、凸部３１１は別の片体３の相対する位置にある凹部３２１に嵌入し、その凸部３１１はそこに設置した凸点３１１２によって凹部３２１内の接触端３２１１と接触し、両者をしっかりと掛合し、凸部３１１が別の片体３の凹部３２１内に嵌入した時、深く入りすぎてしまうのを防止し、両者間に一つの固定隙間Ｂを保つための位置限定機能を形成する。別に凸部３１１上に設置した一つの凸環３１１３は、片体３が互いに重畳した時、凸環３１１３によって凹部３２１内の接触端３２１１と接触し、両者をしっかりと掛合し、凸部３１１が別の片体３凹部３２１に嵌入した時に発生する位置限定機能を具える。
【００１８】
以上本考案の実施例は本考案を限定するものではなく、仮に本考案の構想による変更は本考案の考案精神と同じで、例として形状もしくは設置の変更、各種変化、修飾と応用それらに依る同効果はすべて本考案の範囲に含まれる。
【００１９】
上述に述べたとおり、本考案の放熱フィンを使用すると、確実にその効果及び目的を達成することができる。故に本考案は実用性に優れた考案であるため、実用新案登録の要件に符合するため、申請する。
【図面の簡単な説明】
【００２０】
【図１】公知放熱フィンセット立体分解図である。
【図２】公知放熱フィンセット立体組立図である。
【図３】本考案の立体図である。
【図４】本考案の立体図である。
【図５】本考案の立体分解図である。
【図６】本考案の組合局部断面指示図である。
【図７】本考案の別の立体図である。
【図８】本考案の別の立体図である。
【図９】本考案の別の組立局部の断面指示図である。
【符号の説明】
【００２１】
Ａ        放熱フィン
Ｂ        隙間
３        片体
３１        正面
３１１        凸部
３１１１        凸端
３１１２        凸点
３１１３        凸環
３１２        位置限定部
３１３        孔
３２        側面
３２１        凹部
３２１１        接触端
３３        掛合部
４        導熱管
【図１】
0003139952.tif 000003
【図２】
0003139952.tif 000004
【図３】
0003139952.tif 000005
【図４】
0003139952.tif 000006
【図５】
0003139952.tif 000007
【図６】
0003139952.tif 000008
【図７】
0003139952.tif 000009
【図８】
0003139952.tif 000010
【図９】
0003139952.tif 000011